(57)【要約】【課題】フィルタの目詰まりを抑制することができる電解水生成装置および衛生洗浄装置を提供することを目的とする。【解決手段】陽極板および陰極板を有し前記陽極板と前記陰極板との間の空間を流れる水を電気分解する電解槽と、前記電気分解により生成されたアルカリ性水が通過する前記電解槽の出口に設けられ、表面がアルカリ性の条件下で加水分解により溶解する材料からなるフィルタと、を備えたことを特徴とする電解水生成装置が提供される。【選択図】図１
2015147162.tif 000002
【特許請求の範囲】
【請求項１】
陽極板および陰極板を有し前記陽極板と前記陰極板との間の空間を流れる水を電気分解する電解槽と、
前記電気分解により生成されたアルカリ性水が通過する前記電解槽の出口に設けられ、表面がアルカリ性の条件下で加水分解により溶解する材料からなるフィルタと、
を備えたことを特徴とする電解水生成装置。
【請求項２】
前記表面は、アミド結合およびエステル結合の少なくともいずれかの結合を有する材料からなることを特徴とする請求項１記載の電解水生成装置。
【請求項３】
前記表面は、ポリエチレンテレフタレートを主成分とする材料からなることを特徴とする請求項１記載の電解水生成装置。
【請求項４】
請求項１〜３のいずれか１つに記載の電解水生成装置と、
吐水部を有し前記吐水部から水を噴射して使用者の身体を洗浄する人体局部洗浄ノズルと、
前記電解水生成装置により生成された酸性水およびアルカリ性水の少なくともいずれかを便器のボウルの表面および前記人体局部洗浄ノズルの表面の少なくともいずれかに噴霧する噴霧手段と、
を備えた衛生洗浄装置。
【発明の詳細な説明】
【技術分野】
【０００１】
本発明の態様は、一般的に、電解水生成装置および衛生洗浄装置に関する。
【背景技術】
【０００２】
水を電気分解することにより、酸性水およびアルカリ性水の少なくともいずれかを生成する電解水生成装置がある。水道水には、固形状のスケールが含まれることがある。そこで、水道水に含まれる固形状のスケールが電解水生成装置から流出することを抑制するため、電解槽から電解水が吐水される出口にフィルタを設けた電解水生成装置がある（特許文献１）。
【０００３】
また、電解水生成装置では、アルカリ性水を生成する電気分解槽の内部およびアルカリ性水が通過する流路において、例えば炭酸カルシウムなどを含むスケールが発生するという問題がある。スケールは、種々の大きさの粒子に成長し、電気分解槽および電気分解槽の下流の流路を閉塞させるおそれがある。  
これに対して、フィルタが設けられていると、電気分解槽および電気分解槽の下流の流路に影響を与える大きさのスケールを捕捉し、電気分解槽および電気分解槽の下流の流路が閉塞するおそれを低減することができる。
【０００４】
しかし、フィルタの開口部のサイズ（開口サイズ）よりも小さいスケールがフィルタに付着し堆積すると、フィルタの目詰まりが生ずることがある。フィルタの目詰まりが生ずると、フィルタが比較的早期に閉塞するおそれがある。
【先行技術文献】
【特許文献】
【０００５】
【特許文献１】特開２０１２−１７９５６５号公報
【発明の概要】
【発明が解決しようとする課題】
【０００６】
本発明は、かかる課題の認識に基づいてなされたものであり、フィルタの目詰まりを抑制することができる電解水生成装置および衛生洗浄装置を提供することを目的とする。
【課題を解決するための手段】
【０００７】
第１の発明は、陽極板および陰極板を有し前記陽極板と前記陰極板との間の空間を流れる水を電気分解する電解槽と、前記電気分解により生成されたアルカリ性水が通過する前記電解槽の出口に設けられ、表面がアルカリ性の条件下で加水分解により溶解する材料からなるフィルタと、を備えたことを特徴とする電解水生成装置である。
【０００８】
この電解水生成装置によれば、スケールがフィルタに析出あるいは付着しても、フィルタの表面は、電解槽の内部で生成されるアルカリ性水で加水分解され溶解する。すると、フィルタの表面に析出あるいは付着したスケールは、成長する前にフィルタの表面とともに下流側へ流される。これにより、フィルタは、スケールの成長を抑制することができる。フィルタにおけるスケールの成長を抑制することができるため、フィルタの目詰まりを抑制することができる。また、フィルタの効果をより長い時間にわたって発揮することができるため、フィルタの取り替え寿命をより長くすることができる。
【０００９】
第２の発明は、第１の発明において、前記表面は、アミド結合およびエステル結合の少なくともいずれかの結合を有する材料からなることを特徴とする電解水生成装置である。
【００１０】
この電解水生成装置によれば、フィルタの表面は、アミド結合およびエステル結合の少なくともいずれかの結合を有する材料からなる。そのため、フィルタの表面は、電解槽の内部で生成されるアルカリ性水で加水分解され溶解する。これにより、フィルタは、スケールの成長を抑制することができる。フィルタにおけるスケールの成長を抑制することができるため、フィルタの目詰まりを抑制することができる。
【００１１】
第３の発明は、第１の発明において、前記表面は、ポリエチレンテレフタレートを主成分とする材料からなることを特徴とする電解水生成装置である。
【００１２】
この電解水生成装置によれば、フィルタの表面に特殊な素材を用いなくとも、フィルタの表面の溶解性により、フィルタの表面に析出あるいは付着したスケールは、成長する前にフィルタの表面とともに下流側へ流される。これにより、フィルタの表面に特殊な素材を用いなくとも、フィルタは、スケールの成長を抑制し、フィルタの目詰まりを抑制することができる。
【００１３】
第４の発明は、第１〜３のいずれか１つの発明の電解水生成装置と、吐水部を有し前記吐水部から水を噴射して使用者の身体を洗浄する人体局部洗浄ノズルと、前記電解水生成装置により生成された酸性水およびアルカリ性水の少なくともいずれかを便器のボウルの表面および前記人体局部洗浄ノズルの表面の少なくともいずれかに噴霧する噴霧手段と、を備えた衛生洗浄装置である。
【００１４】
この衛生洗浄装置によれば、電解水生成装置により生成された酸性水およびアルカリ性水の少なくともいずれかを噴霧手段から便器のボウルの表面および人体局部洗浄ノズルの表面の少なくともいずれかに噴霧することができる。このとき、スケールが電解水生成装置のフィルタに析出あるいは付着しても、フィルタの表面は、電解槽の内部で生成されるアルカリ性水で加水分解され溶解する。すると、フィルタの表面に析出あるいは付着したスケールは、成長する前にフィルタの表面とともに下流側へ流される。これにより、フィルタは、スケールの成長を抑制することができる。フィルタにおけるスケールの成長を抑制することができるため、フィルタの目詰まりを抑制することができる。また、フィルタの効果をより長い時間にわたって発揮することができるため、フィルタの取り替え寿命をより長くすることができる。
【発明の効果】
【００１５】
本発明の態様によれば、フィルタの目詰まりを抑制することができる電解水生成装置および衛生洗浄装置が提供される。
【図面の簡単な説明】
【００１６】
【図１】本発明の実施の形態にかかる電解水生成装置を表す模式的断面図である。
【図２】本実施形態のフィルタを表す模式的平面図である。
【図３】本発明者が実施した耐久試験の結果の一例を例示するグラフ図である。
【図４】本実施形態のフィルタの電気分解前の状態の一例を例示する写真である。
【図５】本実施形態のフィルタの電気分解後の状態の一例を例示する写真である。
【図６】本発明の実施の形態にかかる衛生洗浄装置を表す模式的断面図である。
【発明を実施するための形態】
【００１７】
以下、本発明の実施の形態について図面を参照しつつ説明する。なお、各図面中、同様の構成要素には同一の符号を付して詳細な説明は適宜省略する。  
図１は、本発明の実施の形態にかかる電解水生成装置を表す模式的断面図である。  
図２は、本実施形態のフィルタを表す模式的平面図である。
【００１８】
図１に表した電解水生成装置１００は、電解槽１１０と、流路切替弁１２０と、第１の流路１３１と、第２の流路１３２と、フィルタ１４０と、を備える。なお、本実施形態では、電解水生成装置１００は、流路切替弁１２０を必ずしも備えていなくともよい。  
電解槽１１０は、その内部に陽極板１１１および陰極板１１２を有し、図示しない制御装置からの通電の制御によって、陽極板１１１と、陰極板１１２と、の間の空間（流路）を流れる水道水を電気分解できる。
【００１９】
この際、陰極板１１２では、式（１）に表した反応が生ずる。  
Ｈ＋＋ｅ−  →  １／２Ｈ２↑                 ・・・（１）
つまり、陰極板１１２においては酸（Ｈ＋）が消費され、陰極板１１２の近傍ではｐＨが上昇する。すなわち、陰極板１１２の近傍では、アルカリ性水が生成される。
【００２０】
一方、陽極板１１１では、式（２）に表した反応が生ずる。  
２ＯＨ−  →  ２ｅ−＋Ｈ２Ｏ＋１／２Ｏ２↑    ・・・（２）
つまり、陽極板１１１においてはアルカリ（ＯＨ−）が消費され、陽極板１１１の近傍ではｐＨが下降する。すなわち、陽極板１１１の近傍では、酸性水が生成される。
【００２１】
流路切替弁１２０は、図示しない制御装置からの制御により、酸性水を導く第１の流路１３１の開閉を行う。また、流路切替弁１２０は、図示しない制御装置からの制御により、アルカリ性水を導く第２の流路１３２の開閉を行う。
【００２２】
電解槽１１０は、第１の出口１１５と、第２の出口１１６と、を有する。  
第１の流路１３１の一端は、第１の出口１１５に接続されている。酸性水は、第１の出口１１５を通過し第１の流路１３１へ導かれる。  
第２の流路１３２の一端は、第２の出口１１６に接続されている。アルカリ性水は、第２の出口１１６を通過し第２の流路１３２へ導かれる。
【００２３】
フィルタ１４０は、アルカリ性水が通過あるいは吐出する電解槽１１０の出口に設けられている。図１に表した電解水生成装置１００では、フィルタ１４０は、第２の出口１１６に設けられている。
【００２４】
図２に表したように、フィルタ１４０は、例えば網目状の構造を有する。具体的には、フィルタ１４０は、フィルタ基部１４１を有する。例えば、フィルタ１４０は、複数のフィルタ基部１４１が編み込まれた構造を有する。隣り合うフィルタ基部１４１の間には、開口部１４３が形成されている。水は、フィルタ１４０の開口部１４３を通過し、フィルタ１４０の下流側へ流れる。フィルタ基部１４１の幅の寸法Ｄ１は、例えば１００マイクロメートル（μｍ）以上３００μｍ以下程度である。開口部１４３の第１の寸法Ｄ２（図２では横方向の寸法）は、例えば１００μｍ以上３００μｍ以下程度である。開口部１４３の第２の寸法Ｄ３（図２では縦方向の寸法）は、例えば１００μｍ以上３００μｍ以下程度である。なお、フィルタ基部１４１の寸法Ｄ１および開口部１４３の寸法Ｄ２、Ｄ３は、これだけに限定されるわけではない。
【００２５】
ここで、アルカリ性水が生成される部分およびアルカリ性水が通過する流路においては、例えば炭酸カルシウムなどを含むスケールが発生する。
【００２６】
スケールについて、さらに説明する。  
前述したように、陰極板１１２の近傍ではｐＨが上昇し、アルカリ性水が生成される。ｐＨが上昇すると、水道水に含まれる炭酸イオン（ＣＯ３２−）の溶解量は上昇する。ｐＨの上昇に伴い、炭酸（Ｈ２ＣＯ３）が水素イオン（Ｈ＋）を放出し炭酸イオン（ＣＯ３２−）を生成し、式（３）に表した反応が生ずる。そして、発生した炭酸イオン（ＣＯ３２−）と水道水中に存在するカルシウムイオン（Ｃａ２＋）が結合し、式（４）に表した反応が生ずる。つまり、ｐＨの上昇が、炭酸カルシウム（ＣａＣＯ３：スケール）の生成（溶解度低下による析出）を引き起こす。
Ｈ２ＣＯ３  →  ２Ｈ＋＋ＣＯ３２−              ・・・（３）
Ｃａ２＋＋ＣＯ３２−  →  ＣａＣＯ３            ・・・（４）
【００２７】
スケールは、種々の大きさの粒子に成長し、例えば、電解槽１１０および第２の流路１３２の少なくともいずれかを閉塞させるおそれがある。これに対して、本実施形態にかかる電解水生成装置１００は、フィルタ１４０を備える。フィルタ１４０は、アルカリ性水が通過あるいは吐出する電解槽１１０の出口に設けられている。図１に表した電解水生成装置１００では、フィルタ１４０は、第２の出口１１６に設けられている。これにより、フィルタ１４０は、開口部１４３の開口サイズよりも大きいサイズのスケール（例えば、電解槽１１０および第２の流路１３２の少なくともいずれかに影響を与える大きさのスケール）を捕捉することができる。一方で、開口部１４３の開口サイズよりも小さいサイズのスケールは、フィルタ１４０の開口部１４３を通過する。
【００２８】
しかし、開口部１４３の開口サイズよりも小さいサイズのスケールがフィルタ基部１４１に成長すると、フィルタ１４０の目詰まりが生ずることがある。フィルタ１４０の目詰まりが生ずると、フィルタ１４０が比較的早期に閉塞するおそれがある。  
なお、本願明細書において、スケールの「成長」とは、スケールが析出することで、またはスケールが付着し堆積することで、スケールの容積が増加することをいう。
【００２９】
これに対して、本実施形態のフィルタ１４０は、スケールの成長を抑制することができる。具体的には、フィルタ１４０の表面（フィルタ基部１４１の表面）は、アルカリ性の条件下で加水分解により溶解する材料からなる。例えば、フィルタ１４０（具体的には、フィルタ基部１４１）がアルカリ性の条件下で加水分解により溶解する材料で形成されていてもよい。あるいは、例えば、フィルタ１４０（具体的には、フィルタ基部１４１）は、金属（例えばステンレスなど）の芯材と、その芯材の表面にコーティングされた材料であってアルカリ性の条件下で加水分解により溶解する材料と、を含んでいてもよい。
【００３０】
フィルタ１４０の表面は、アミド結合およびエステル結合の少なくともいずれかの結合を有する材料からなる。  
例えば、フィルタ１４０の表面は、ポリエチレンテレフタレート（ＰＥＴ：polyethyleneterephtalate）を主成分とする材料からなる。あるいは、フィルタ１４０の表面は、ポリブチレンテレフタレート（ＰＢＴ：polybutyleneterephtalate）を主成分とする材料からなる。あるいは、フィルタ１４０の表面は、ナイロンを主成分とする材料からなる。
【００３１】
本実施形態によれば、開口部１４３の開口サイズよりも小さいサイズのスケールがフィルタ基部１４１に析出あるいは付着しても、フィルタ１４０の表面（フィルタ基部１４１の表面）は、電解槽１１０の内部で生成されるアルカリ性水で加水分解され溶解する。すると、フィルタ１４０の表面に析出あるいは付着したスケールは、成長する前にフィルタ１４０の表面とともに下流側へ流される。これにより、本実施形態のフィルタ１４０は、スケールの成長を抑制することができる。フィルタ１４０におけるスケールの成長を抑制することができるため、フィルタ１４０の目詰まりを抑制することができる。また、フィルタ１４０の効果をより長い時間にわたって発揮することができるため、フィルタ１４０の取り替え寿命をより長くすることができる。
【００３２】
また、フィルタ１４０の表面に特殊な素材を用いなくとも、フィルタ１４０の表面の溶解性により、フィルタ１４０の表面に析出あるいは付着したスケールは、成長する前にフィルタ１４０の表面とともに下流側へ流される。これにより、フィルタ１４０の表面に特殊な素材を用いなくとも、本実施形態のフィルタ１４０は、スケールの成長を抑制し、フィルタ１４０の目詰まりを抑制することができる。
【００３３】
なお、電解槽１１０においてスケールが生成されることをより抑制するため、陽極板１１１および陰極板１１２を切り替える極性反転（ポールチェンジ（ＰＣ））が行われることがある。そのため、極性反転が行われる場合には、第１の出口１１５と第２の出口１１６との両方の出口に、フィルタ１４０が設けられることが望ましい。図１に表した電解水生成装置１００の電解槽１１０では、第１の出口１１５と第２の出口１１６との両方の出口に、フィルタ１４０が設けられている。
【００３４】
図３は、本発明者が実施した耐久試験の結果の一例を例示するグラフ図である。  
図３に表したグラフ図の横軸は、耐久年数（年）を表す。図３に表したグラフ図の縦軸は、流量（ｍＬ／ｍｉｎ：ミリリットル／分）を表す。
【００３５】
本発明者は、表面がＰＥＴを主成分とする材料からなるフィルタ１４０の耐久年数と、表面がポリプロピレン（ＰＰ：polypropylene）を主成分とする材料からなるフィルタ１４０の耐久年数と、の間の比較を行った。具体的には、本発明者は、表面がＰＥＴを主成分とする材料からなるフィルタ１４０および表面がＰＰを主成分とする材料からなるフィルタ１４０のそれぞれにおいて電気分解を行い、電気分解の時間（電解時間）の経過と、フィルタ１４０を流れる水の流量の変化と、の関係を検討した。
【００３６】
図３に表したグラフ図のように、ＰＰを主成分とする材料からなるフィルタ１４０の場合には、電解時間の経過とともにフィルタ１４０を流れる水の流量が低下する。そして、１．４年間の使用年数に相当する電解時間が経過すると、フィルタ１４０を流れる水の流量は、０（ｍＬ／ｍｉｎ）となった。つまり、１．４年間の使用年数に相当する電解時間が経過すると、フィルタ１４０の目詰まりが生じた。言い換えれば、本検討の条件においては、ＰＰを主成分とする材料からなるフィルタ１４０の耐久年数は、１．４年間である。
【００３７】
これに対して、図３に表したグラフ図のように、ＰＥＴを主成分とする材料からなるフィルタ１４０の場合には、電解時間が経過しても、フィルタ１４０を流れる水の流量は、あまり変化しなかった。そして、１０年間の使用年数に相当する電解時間が経過しても、フィルタ１４０を流れる水の流量は、観測開始のときの流量とほとんど変わらなかった。つまり、１０年間の使用年数に相当する電解時間が経過しても、フィルタ１４０の目詰まりは生じなかった。言い換えれば、本検討の条件においては、ＰＥＴを主成分とする材料からなるフィルタ１４０の耐久年数は、１０年間以上である。
【００３８】
これにより、ＰＥＴを主成分とする材料からなるフィルタ１４０は、ＰＰを主成分とする材料からなるフィルタ１４０と比較すると、フィルタ１４０自身の目詰まりを抑えることができる。また、ＰＥＴを主成分とする材料からなるフィルタ１４０は、ＰＰを主成分とする材料からなるフィルタ１４０と比較すると、フィルタ１４０の効果を長い時間にわたって発揮することができるため、フィルタ１４０の取り替え寿命をより長くすることができる。
【００３９】
図４は、本実施形態のフィルタの電気分解前の状態の一例を例示する写真である。  
図５は、本実施形態のフィルタの電気分解後の状態の一例を例示する写真である。  
図４（ａ）および図５（ａ）は、本実施形態のフィルタの拡大写真である。図４（ｂ）は、図４（ａ）に表したフィルタの一部をさらに拡大した写真である。図５（ｂ）は、図５（ａ）に表したフィルタの一部をさらに拡大した写真である。
【００４０】
図４（ａ）および図５（ａ）に表したように、本実施形態のフィルタ１４０は、複数のフィルタ基部１４１が編み込まれた構造を有する。隣り合うフィルタ基部１４１の間には、開口部１４３が形成されている。図４（ａ）〜図５（ｂ）に表したフィルタ１４０の表面は、ポリエチレンテレフタレートを主成分とする材料からなる。図５（ａ）および図５（ｂ）は、スケール加速水を用いて、５６０時間の電気分解を行った後の状態の一例を例示する写真である。
【００４１】
本発明者が実施したエネルギー分散型Ｘ線分析（ＥＤＸ：Energy Dispersive X-ray spectrometry）によれば、図５（ｂ）に表したフィルタ基部１４１のうちの一部１４１ａの８５％以上は、ポリエチレンテレフタレートであることがわかった。これにより、図４（ａ）と図５（ａ）とを比較すると、又は図４（ｂ）と図５（ｂ）とを比較すると、電気分解が行われた後では、フィルタ１４０の表面がアルカリ性の条件下で加水分解により溶解していることがわかる。
【００４２】
次に、本発明の他の実施の形態について説明する。 
図６は、本発明の実施の形態にかかる衛生洗浄装置を表す模式的断面図である。  
本実施形態にかかる衛生洗浄装置５００は、洋式腰掛便器（以下説明の便宜上、単に「便器」と称する）８００の上に設けられている。図６に表したトイレ装置１０は、便器８００と、衛生洗浄装置５００と、を備える。
【００４３】
便器８００は、ボウル８０１を有する。ボウル８０１の表面には、光触媒層が形成されている。衛生洗浄装置５００は、ケーシング４００と、便座２００と、便蓋３００と、を有する。便座２００と便蓋３００とは、ケーシング４００に対して開閉自在にそれぞれ軸支されている。なお、便蓋３００は、必ずしも設けられていなくともよい。また、ボウル８０１の表面の光触媒層は、必ずしも形成されていなくともよい。
【００４４】
ケーシング４００の内部には、電解水生成装置１００と、人体局部洗浄ノズル４１０と、が設けられている。電解水生成装置１００は、図１〜図５に関して前述した通りである。人体局部洗浄ノズル４１０は、便座２００に座った使用者の「おしり」などの洗浄を実現する。例えば、使用者は、便座２００に座った状態でリモコンなどの操作部を操作し、人体局部洗浄ノズル４１０を便器８００のボウル８０１内に進出させることができる。人体局部洗浄ノズル４１０の先端部には、図示しない吐水部が設けられている。そして、人体局部洗浄ノズル４１０は、その先端部に設けられた吐水部から水を噴射して、便座２００に座った使用者の「おしり」などを洗浄することができる。なお、本願明細書において「水」という場合には、冷水のみならず、加温されたお湯も含むものとする。
【００４５】
例えばケーシング４００の下部には、噴霧ノズル（噴霧手段）４７３と、ＵＶ光源（照射段）４８１と、が設けられている。噴霧ノズル４７３は、電解水生成装置１００により生成された酸性水およびアルカリ性水の少なくともいずれかを便器８００のボウル８０１の表面に噴霧する。または、噴霧ノズル４７３は、電解水生成装置１００により生成された酸性水およびアルカリ性水の少なくともいずれかを人体局部洗浄ノズル４１０の表面に噴霧する。ＵＶ光源４８１は、ボウル８０１に紫外線（ＵＶ：ultraviolet）を照射する。噴霧ノズル４７３およびＵＶ光源４８１は、ケーシング４００の内部に設けられていてもよいし、ケーシング４００の外部に付設されていてもよい。
【００４６】
本実施形態によれば、電解水生成装置１００により生成された酸性水およびアルカリ性水の少なくともいずれかを噴霧ノズル４７３からボウル８０１の表面および人体局部洗浄ノズル４１０の表面の少なくともいずれかに噴霧することができる。このとき、開口部１４３の開口サイズよりも小さいサイズのスケールがフィルタ基部１４１に析出あるいは付着しても、フィルタ１４０の表面（フィルタ基部１４１の表面）は、電解槽１１０の内部で生成されるアルカリ性水で加水分解され溶解する。すると、フィルタ１４０の表面に析出あるいは付着したスケールは、成長する前にフィルタ１４０の表面とともに下流側へ流される。これにより、本実施形態の衛生洗浄装置５００は、スケールの成長を抑制することができる。フィルタ１４０におけるスケールの成長を抑制することができるため、フィルタ１４０の目詰まりを抑制することができる。また、フィルタ１４０の効果をより長い時間にわたって発揮することができるため、フィルタ１４０の取り替え寿命をより長くすることができる。
【００４７】
また、フィルタ１４０の表面に特殊な素材を用いなくとも、フィルタ１４０の表面の溶解性により、フィルタ１４０の表面に析出あるいは付着したスケールは、成長する前にフィルタ１４０の表面とともに下流側へ流される。これにより、フィルタ１４０の表面に特殊な素材を用いなくとも、本実施形態の衛生洗浄装置５００は、スケールの成長を抑制し、フィルタ１４０の目詰まりを抑制することができる。
【００４８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、電解水生成装置１００および衛生洗浄装置５００などが備える各要素の形状、寸法、材質、配置などやフィルタ１４０、第１の流路１３１、および第２の流路１３２の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４９】
１０ トイレ装置、  １００ 電解水生成装置、  １１０ 電解槽、  １１１ 陽極板、  １１２ 陰極板、  １１５ 第１の出口、  １１６ 第２の出口、  １２０ 流路切替弁、  １３１ 第１の流路、  １３２ 第２の流路、  １４０ フィルタ、  １４１ フィルタ基部、  １４１ａ 一部、  １４３ 開口部、  ２００ 便座、  ３００ 便蓋、  ４００ ケーシング、  ４１０ 人体局部洗浄ノズル、  ４７３ 噴霧ノズル、  ４８１ ＵＶ光源、  ５００ 衛生洗浄装置、  ８００ 便器、  ８０１ ボウル
【図１】
2015147162.tif 000003
【図２】
2015147162.tif 000004
【図３】
2015147162.tif 000005
【図６】
2015147162.tif 000006
【図４】
2015147162.tif 000007
【図５】
2015147162.tif 000008